(57)【要約】      （修正有）【課題】電動式と自走式の両方の機能を一体構成するとともに、運搬、移動を容易にすべく軽量化を図る構造を実現したデュアルモード・ランニングマシンを提供する。【解決手段】モーター、タイミングベルトなどから成る回転駆動機構の主要部はランニングプレートを軽量化する目的でベースユニット１に搭載し、ランニングベルトユニット２はエンドレス状のランニングベルト４、ランニングベルト４を走行させる前方ローラー、後方ローラー、チルト構造９などにより傾斜角度を設定する構造を備えるとともに、前方ローラーはクラッチ構造を介して回転駆動機構に連結され、モード切替えレバー６やスイッチ７の操作により前方ローラーと回転駆動機構を連結してモーターの回転によりランニングベルト４を走行させる電動モードと、前方ローラーと回転駆動機構を非連結として、ランニングベルトユニット２を所要の傾斜に設定してランナーの体重によりランニングベルト４を走行させる自走モードの二種類のモードを選択可能とする。【選択図】図１
0003212103.tif 000002
【実用新案登録請求の範囲】
【請求項１】
ベースユニット、ランニングベルトユニット、ハンドルユニットで構成するランニングマシンにおいて、モーター、タイミングベルトなどから成る回転駆動機構の主要部はランニングプレートを軽量化する目的でベースユニットに搭載し、ランニングベルトユニットはエンドレス状のランニングベルト、ランニングベルトを走行させる前方ローラー、後方ローラー、ランニングベルトに挟み込む配置によりランナーの体重を受けるランニングプレート、ならびにチルト構造などにより傾斜角度を設定する構造を備えるとともに、前方ローラーはクラッチ構造を介して回転駆動機構に連結され、モード切替えレバーやスイッチの操作により前方ローラーと回転駆動機構を連結してモーターの回転によりランニングベルトを走行させる電動モードと、前方ローラーと回転駆動機構を非連結として、ランニングベルトユニットを所要の傾斜に設定してランナーの体重によりランニングベルトを走行させる自走モードの二種類のモードを選択可能とする、デュアルモード・ランニングマシン。
【請求項２】
ベースユニットに挿抜自在な錘を装着して所要の重量を荷重し、運搬時や移動時には錘を抜き取ることにより、運搬、移動の軽量化を図る、請求項１に記載するデュアルモード・ランニングマシン。
【請求項３】
自走モードにおいて商用電源断の場合にバッテリーにより時間・距離・消費カロリーなどを表示するメーター機能を作動させることにより、電動モード、自走モードのいずれのモードにおいてもメーター機能を有効にする、請求項１に記載するデュアルモード・ランニングマシン。
【考案の詳細な説明】
【技術分野】
【０００１】フィットネス器具として人気の高いランニングマシン（トレッドミル）を、モーターを回転させてランニングベルトを走行させる電動式と、ランナーの体重でランニングベルトを走行させる自走式を一体構成するとともに、運搬、移動に際して軽量化を図る構造を備えるランニングマシン。
【背景技術】
【０００２】一般的にランニングマシンは電動式と自走式は全く別商品としてそれぞれが販売されているが、自走式は停電でも利用できたり、騒音も低かったり、消費カロリーが高かったり、危険が少ないなど電動式とは異なるメリットを備えているが、両方を購入することは価格、サイズなどで無理であるため何れかを購入するしか無かった。また、ランニングマシンは転倒防止のために重量がかなり重たく、運送に際して一人では運べず、設置場所を移動することも容易で無いなどの課題を抱えており、これら課題の解決が強く求められている。
【考案が解決しようとする課題】
【０００３】一般的にランニングマシンは電動式と自走式は全く別商品としてそれぞれが販売されおり、自走式は停電でも利用できたり、騒音も低かったり、消費カロリーが高かったり、危険が少なかったりと言う電動式とは異なるメリットを有し、特にリハビリには適しているが電動式と自走式の両方を購入することは価格もさることながらサイズも大きく狭い部屋ではスペースで無理であるため何れかを購入するしか無かった。さらにランニングマシンは転倒防止のために重量が重たく、運送に際しても一人では運べず、設置場所を変更するのも容易では無いなどの課題を抱えている。しかるに本考案では、電動式と自走式の両方の機能を一体構成するとともに、運搬、移動を容易にすべく軽量化を図る構造を実現したデュアルモード・ランニングマシンを提供することを目的とする。
【課題を解決するための手段】
【０００４】モーター、タイミングベルトなどから成る回転駆動機構の主要部はランニングプレートを軽量化する目的でベースユニットに搭載し、ランニングベルトユニットはエンドレス状のランニングベルト、ランニングベルトを走行させる前方ローラー、後方ローラー、ランニチルト構造などにより傾斜角度を設定する構造を備えるとともに、前方ローラーはクラッチ構造を介して回転駆動機構に連結され、モード切替えレバーやスイッチの操作により前方ローラーと回転駆動機構を連結してモーターの回転によりランニングベルトを走行させる電動モードと、前方ローラーと回転駆動機構を非連結として、ランニングベルトユニットを所要の傾斜に設定してランナーの体重によりランニングベルトを走行させる自走モードの二種類のモードを選択可能とする、デュアルモード・ランニングマシン。
【考案の効果】
【０００５】市販されているランニングマシンは電動式か自走式の何れを購入するかは二者択一であるが、本考案によるデュアルモード・ランニングマシンは電動式と自走式の両機能を一体で構成しているため、１セットの購入で両方の機能を選択して使用することが出来るため、価格、設置スペースなどの課題が解決されるとともに、転倒防止のために必要となる重量の一部を着脱自在な錘で実現することにより運搬、移動時には錘を外して軽量化することができるため、運搬、移動が一人で出来るなど、従来のランニングマシンが抱えている基本的な課題を一挙に解決することが出来る。
【考案を実施するための形態】
【０００６】考案のデュアルモード・ランニングマシンはベースユニット１、ランニングベルトユニット２、ハンドルユニット３で構成される。図１はランニングユニット２の傾斜０の状態を示しており、図２はランニングユニット２が最大傾斜の状態を示している。図３はシステム構成の概念を示し、４−１は前方ローラー、４−２は後方ローラー、４はランニングベルトを示し、前方ローラーはタイミングベルト１４、クラッチ構造１５，１６を介してモーター１３に繋がっており、モード切り替レバー６を操作してクラッチの連結、非連結を指定する。電動モードではクラッチ１５，１６を連結してモーターにより前方ローラーを回転させてランニングベルトを走行させ、自走モードの場合は非連結に設定してモーター負荷の無い状態でランナーの体重によりランニングベルトを走行させる。
【０００７】図３は本デュアルモード・ランニングマシンを構成するシステム概念図であり、モーター１３，タイミングベルト１４，クラッチ構造１５，１６、モード切替レバー６，エンコーダ１８などにより前方ローラー４−１を回転駆動させる回転駆動機構が構成される。演算、制御回路２０はモーター制御、心拍数カウント、ランニングベルトの走行速度などのメーター機能が演算、処理され、結果がＬＣＤ表示２３に表示される。
【０００８】図４、図５は電動モードにおいて前方ローラーをモーターに連結し、自走モードではモーターの連結を解除するためのクラッチ機構を示す。１３はモーター、１４はタイミングベルト、１５，１６はクラッチ機構を示す。１５は固定クラッチで軸１５−２に対しては固定して移動せず、１６は軸１６−２の上をスライド移動し、電動モードの場合はスプリング１７でスライドクラッチ１６は固定クラッチ１５に押圧されて１５，１６は連結され、自走モードの場合はモード切り替レバーによりスライドクラッチ１６は固定クラッチ１５から離されて連結状態が解かれる。クラッチの勘合はラチェツト歯で形成されて確実な勘合と低騒音を実現している。なおクラッチ構造に関してはラチェツトなとどによるクラッチ機構に限らず電磁クラッチ、ギヤ、タイミングベルト空転構造などでも良く、前方ローラーとモーターとの連結を解除できる構造を指す。
【０００９】図６はランニングベルトユニットの傾斜設定説明図であり、４−１は前方ローラー、４−２は後方ローラー、４はランニングベルト、５はランナーの体重を受け止めるランニングプレートを示し、Ｌはローラー間距離，Ｍは傾斜高さ、θは傾斜角度を示す。電動モード、自走モードの何れにおいてもランニングベルトユニットの傾斜を有効とするため、ランニングベルトユニットの所定の傾斜角度範囲においてクラッチ構造が前方ローラーと回転駆動機構との連結、非連結を可能とするため、ランニングベルトユニットは前方ローラーの回転軸でベースユニットに結合して前方ローラーの回転軸を回転中心として回転されるがクラッチが連結された状態ではモーターが繋がっているためモーターの磁力が大きいため極めて大きな負荷となり、ランニングベルトユニットを傾斜設定する場合、自走モードで使用する場合、収納立て掛けの場合などはクラッチを非連結にする。
【実施例】
【０００１０】ランニングベルトは厚さ２５ｍｍのテフロン材を主な素材として構成し、φ２５ｍｍの前方、後方ローラーで支え、ランニングプレートはベルトの滑りを良くするため厚さ３０ｍｍの合板を使用した。ランニングベルトユニットの具体的なディメンジョンは、Ｌ＝１２００ｍｍ、最大傾斜角を８°とし、Ｍ＝Ｌｔａｎθ＝１２００×０．１４０５≒１６９ｍｍである。図１．２に示すチルト構造９はロックピン９−１により、８°、５°、０°の角度を選択設定可能とする。図７はランニングマシンを収納する場合にランニングベルトユニットを立て掛けた状態を説明し、図８は立て掛け、展開における容易性、危険防止のためにダンパー２４を組み込んでいる。また、転倒防止のために必要となる重量の一部を請求項２に記載するごとく、着脱自在な錘１０で荷重することにより、運搬、移動時には錘を外して把手１１で錘を運ぶことにより、デュアルモード・ランニングマシンの運搬、移動は一人で行うことが出来る。ローラー回転センサー１９は請求項３に記載する、ＡＣ電源断状態でモーターが停止してエンコーダが機能しない状態においてもローラーの回転数などを計数表示するためである。２２は商用ＡＣからＤＣを生成する電源回路であり、２２−１はＡＣ電源断状態における自走モードにおいてメーター機能を作動させるためのバッテリー回路であり、ＡＣ電源とバッテリー電源の切り替え処理も含まれる。なおバッテリーとしては一次電池またはリチュウムイオンやニッケル水素などの再充電可能な二次電池を利用する。【００１１】ベースユニット、ハンドルユニットなどは鉄、ステンレス、樹脂材などで形成し、ランニングベルトユニットはアルミ、樹脂材などにより可能な限り軽量化を図り、荷重はベースユニットと錘に集中する。モーターはエンコーダによりキメの細かい速度制御が可能なＤＣモーターとした。クラッチはラチェツトで構成したがラチェツト機構に限るものではなく、ギャ、電磁クラッチ，またはタイミングベルト空転構造など前方ローラーと回転駆動機構との連結、非連結を切替え可能とする構造であれば良いなど多様な構成が考えられる。さらに、自走モードにおいて不可欠なランニングベルトユニットを所定量傾斜させるための設定構造は単純なチルト構造ではなくランニングベルトユニットの中間部に支点を設けて回転設定する構造を適用すれば軽負荷での角度設定が出来る。さらにランニングベルトユニットとベースユニットとの結合、回転中心に関してもベルトやギャを介して前方ローラーとクラッチを配置すれば前方ローラーの回転軸を回転中心とせずに任意の位置を回転中心に出来るなど、機能、性能、外観、使用する素材、ディメンジョンなどに関しては本考案の趣旨を逸脱しない範囲であれば種々変形実施が可能である。
【図面の簡単な説明】
【００１２】
【図１】デュアルモード・ランニングマシンにおける傾斜０設定の外観概念図を示す
【図２】デュアルモード・ランニングマシンにおける傾斜設定の外観概念図を示す
【図３】デュアルモード・ランニングマシンのシステム構成の概念図を示す
【図４】クラッチ構造の概念図を示す
【図５】クラッチ構造におけるラチェツトの概念図を示す
【図６】ランニングベルトユニットにおける傾斜設定の説明図を示す
【図７】ランニングベルトユニットの収納設定の説明図を示す
【図８】ランニングベルトユニットの収納状態を示す概念図を示す
【符号の説明】    １      ベースユニット            １４      タイミングベルト
２      ランニングベルトユニット  １５      固定クラッチ
３      ハンドルユニット          １５−１  ラチェツト歯
４      ランニングベルト          １５−２  固定軸
４−１  前方ローラー              １６      スライドクラッチ
４−２  後方ローラー              １６−１  ラチェツト歯
５      ランニングプレート        １６−２  スライド軸
６      モード切り替えレバー      １７      スプリング
７      スイッチ                  １８      エンコーダ
８      心拍グリップ              １９      ローラー回転センサー
９      チルト構造                ２０      演算、制御回路
９−１  ロックピン                ２１      ハンドル回路
１０      錘                        ２２      電源
１１      錘把手                    ２２−１  バッテリー
１２      錘挿入口                  ２３      ＬＣＤ表示
１３      モーター                  ２４      ダンパー
Ｍ        傾斜高さ                  Ｌ        ローラー間距離
θ        傾斜角度                  ＡＣ      商用電源
【図１】
0003212103.tif 000003
【図２】
0003212103.tif 000004
【図３】
0003212103.tif 000005
【図４】
0003212103.tif 000006
【図５】
0003212103.tif 000007
【図６】
0003212103.tif 000008
【図７】
0003212103.tif 000009
【図８】
0003212103.tif 000010